(57)【要約】【課題】本発明はステアリング保護ビニールカバーを開示した。【解決手段】保護カバーで外円を被せ、横向き保護カバーで横向きスポークを被せ、そしてノブを回し、ネジボルトを回転させ、それによりネジ山ブロックを上へスライドさせて頂部溝に引っ掛からせ、同時に係止ボードが撥条の作用によって上にスライドして係止溝の中に引掛り、左右両側の保護カバーを位置制限させ、この時弓形外殻で固定ブロックを被せ、縦向き保護カバーで縦向きスポークを包み、弾性係止ボードをチャンバの中に引掛け、それにより縦向き保護カバーを固定させ、取り外す時、推しボードを押え、推しボードが弾性係止ボードを押え、それにより弾性係止ボードをチャンバから離脱させ、縦向き保護カバーを取り外し、そして前記ノブを回し、ネジ山ブロックを頂部溝から離脱させる。【選択図】図１
2020152363.tif 000002
【特許請求の範囲】
【請求項１】
保護カバーを含み、前記保護カバーは左右に対称的に設置されており、前記保護カバーには蛍光テープが固定的に設置されており、前記蛍光テープはハンドルカバーの美観性を増えられ、前記保護カバーの左右両側にはゴムグリップが固定的に設置されており、前記ゴムグリップには凹凸がいっぱいあり、使用者とステアリングカバーとの摩擦力を増え、前記保護カバーの外側端面には突起ブロックが固定的に設置されており、前記突起ブロックは美観と摩擦力を増える役に立ち、前記保護カバーの内側には前後に対称的に設置される横向き保護カバーが固定的に設置されており、左右両側の前記保護カバーの底部にはいずれも固定ブロックが固定的に設置されており、前記固定ブロックの間がヒンジピンによってヒンジで接続され、左側に位置する前記保護カバーの内円頂部には第一ロックブロックが固定的に設置されており、右側に位置する前記保護カバーの内円頂部には第二ロックブロックが固定的に設置されており、前記第一ロックブロックと前記第二ロックブロックとが相互に係合して左右両側の前記保護カバーをステアリングにロックさせることを特徴とするステアリング保護ビニールカバー。
【請求項２】
前記ステアリングは内円と、横向きスポークと、縦向きスポークと外円を含み、上下に対称的な前記横向き保護カバーの間が相互に協力して前記横向きスポークに引っかかってステアリングカバーを定位でき、前記縦向きスポークには縦向き保護カバーが取り付けられ、前記縦向き保護カバーは前後に対称的に設置されており、前記縦向き保護カバーの底端には弓形外殻が固定的に設置されており、前記弓形外殻の中には弓形チャンバが設置されており、頂部に位置する前記弓形外殻の底部には凸ブロックが固定的に設置されており、前記凸ブロックの大きさは前記突起ブロックと同じであり、底部に位置する前記弓形外殻の頂端には扇形ボードが固定的に設置されており、前記扇形ボードは前記凸ブロックとヒンジで接続され、底部の前記縦向き保護カバーには係止ブロックが固定的に設置されており、前記係止ブロックの前側端面には二組の左右に対称的な弾性係止ボードが固定的に設置されており、前記弾性係止ボードが弾性を有し、頂部に位置する前記縦向き保護カバーの中にはチャンバが設置されており、前記チャンバの中には推しボードがスライドできるように設置されており、前記押しボードの一側部分が前記チャンバの外に伸び出ており、前記推しボードと前記チャンバの左側端壁との間には戻し撥条が取り付けられ、前記チャンバの前側端壁には凹槽が設置されており、弓形外殻を固定ブロックに係合取り付けることによって、縦向き保護カバーを縦向きスポークに取り付け、且つ係止ブロックがチャンバと相互に係合され、弾性係止ボードをチャンバの中に係止し、それにより上下両側の縦向き保護カバーで縦向きスポークを包み、弓形外殻で固定ブロックを包むことを特徴とする請求項１に記載のステアリング保護ビニールカバー。
【請求項３】
前記第一ロックブロックと前記第二ロックブロックの中にはロック機構が設置されており、前記ロック機構は前記第二ロックブロックの中に設置される第一糸巻きチャンバを含み、前記第一糸巻きチャンバの左右両側には第二糸巻きチャンバが対称的に設置されており、前記第二糸巻きチャンバの中には小リールが回転できるように設置されており、前記第二糸巻きチャンバの頂部にはいずれも滑走溝が設置されており、前記滑走溝の中には係止ボードがスライドできるように設置されており、前記係止ボードと前記滑走溝との間には撥条が取り付けられ、前記第一ロックブロックの中には係止溝が前記滑走溝と相対するように設置されており、前記第一糸巻きチャンバの頂部の前記第二ロックブロックの中には底部溝が設置されており、前記底部溝の中にはネジ山ブロックがスライドできるように設置されており、前記第一ロックブロックの中には頂部溝が前記底部溝と相対するように設置されており、前記第一糸巻きチャンバの中にはネジボルトが回転できるように設置されており、前記ネジボルトの外周にはリールが固定的に設置されており、前記リールには第一引き線が固定的に設置されており、前記第一引き線は前記小リールを経由してから右側の前記係止ボードと固定し、右側の前記小リールの外周には第二引き線が固定的に設置されており、前記第二引き線は前記小リールを経由してから左側の前記係止ボードと固定し、前記ネジボルトの頂部と前記ネジ山ブロックをねじ山によって係合接続されており、前記ネジボルトの底端にはノブが固定的に設置されていることを特徴とする請求項１に記載のステアリング保護ビニールカバー。
【発明の詳細な説明】
【技術分野】
【０００１】
本発明はステアリングカバー分野を取り上げて、具体的にはステアリング保護ビニールカバーである。
【背景技術】
【０００２】
現在市場のステアリングカバーはほぼ環状であり、それにほぼ皮革材質によって制作され、保護カバーを付ける時、無理やりステアリングに押し込む必要あり、力が小さすぎると取り付けにくく、大きすぎると保護スリーブが壊れ、また、ステアリングカバーが緩ければ、滑りやすい。
【先行技術文献】
【特許文献】
【０００３】
【特許文献１】中国特許出願公開第106864577号明細書
【発明の概要】
【発明が解決しようとする課題】
【０００４】
本発明の目的はステアリング保護ビニールカバーを提供し、現有の技術の上記欠点を克服できる。
【課題を解決するための手段】
【０００５】
本発明のステアリング保護ビニールカバーは、保護カバーを含み、前記保護カバーは左右に対称的に設置されており、前記保護カバーには蛍光テープが固定的に設置されており、前記蛍光テープはハンドルカバーの美観性を増えられ、前記保護カバーの左右両側にはゴムグリップが固定的に設置されており、前記ゴムグリップには凹凸がいっぱいあり、使用者とステアリングカバーとの摩擦力を増え、前記保護カバーの外側端面には突起ブロックが固定的に設置されており、前記突起ブロックは美観と摩擦力を増える役に立ち、前記保護カバーの内側には前後に対称的に設置される横向き保護カバーが固定的に設置されており、左右両側の前記保護カバーの底部にはいずれも固定ブロックが固定的に設置されており、前記固定ブロックの間がヒンジピンによってヒンジで接続され、左側に位置する前記保護カバーの内円頂部には第一ロックブロックが固定的に設置されており、右側に位置する前記保護カバーの内円頂部には第二ロックブロックが固定的に設置されており、前記第一ロックブロックと前記第二ロックブロックとが相互に係合して左右両側の前記保護カバーをステアリングにロックさせる。
【０００６】
更なる技術方案、前記ステアリングは内円と、横向きスポークと、縦向きスポークと外円を含み、上下に対称的な前記横向き保護カバーの間が相互に協力して前記横向きスポークに引っかかってステアリングカバーを定位でき、前記縦向きスポークには縦向き保護カバーが取り付けられ、前記縦向き保護カバーは前後に対称的に設置されており、前記縦向き保護カバーの底端には弓形外殻が固定的に設置されており、前記弓形外殻の中には弓形チャンバが設置されており、頂部に位置する前記弓形外殻の底部には凸ブロックが固定的に設置されており、前記凸ブロックの大きさは前記突起ブロックと同じであり、底部に位置する前記弓形外殻の頂端には扇形ボードが固定的に設置されており、前記扇形ボードは前記凸ブロックとヒンジで接続され、底部の前記縦向き保護カバーには係止ブロックが固定的に設置されており、前記係止ブロックの前側端面には二組の左右に対称的な弾性係止ボードが固定的に設置されており、前記弾性係止ボードが弾性を有し、頂部に位置する前記縦向き保護カバーの中にはチャンバが設置されており、前記チャンバの中には推しボードがスライドできるように設置されており、前記押しボードの一側部分が前記チャンバの外に伸び出ており、前記推しボードと前記チャンバの左側端壁との間には戻し撥条が取り付けられ、前記チャンバの前側端壁には凹槽が設置されており、弓形外殻を固定ブロックに係合取り付けることによって、縦向き保護カバーを縦向きスポークに取り付け、且つ係止ブロックがチャンバと相互に係合され、弾性係止ボードをチャンバの中に係止し、それにより上下両側の縦向き保護カバーで縦向きスポークを包み、弓形外殻で固定ブロックを包む。
【０００７】
更なる技術方案、前記第一ロックブロックと前記第二ロックブロックの中にはロック機構が設置されており、前記ロック機構は前記第二ロックブロックの中に設置される第一糸巻きチャンバを含み、前記第一糸巻きチャンバの左右両側には第二糸巻きチャンバが対称的に設置されており、前記第二糸巻きチャンバの中には小リールが回転できるように設置されており、前記第二糸巻きチャンバの頂部にはいずれも滑走溝が設置されており、前記滑走溝の中には係止ボードがスライドできるように設置されており、前記係止ボードと前記滑走溝との間には撥条が取り付けられ、前記第一ロックブロックの中には係止溝が前記滑走溝と相対するように設置されており、前記第一糸巻きチャンバの頂部の前記第二ロックブロックの中には底部溝が設置されており、前記底部溝の中にはネジ山ブロックがスライドできるように設置されており、前記第一ロックブロックの中には頂部溝が前記底部溝と相対するように設置されており、前記第一糸巻きチャンバの中にはネジボルトが回転できるように設置されており、前記ネジボルトの外周にはリールが固定的に設置されており、前記リールには第一引き線が固定的に設置されており、前記第一引き線は前記小リールを経由してから右側の前記係止ボードと固定し、右側の前記小リールの外周には第二引き線が固定的に設置されており、前記第二引き線は前記小リールを経由してから左側の前記係止ボードと固定し、前記ネジボルトの頂部と前記ネジ山ブロックをねじ山によって係合接続されており、前記ネジボルトの底端にはノブが固定的に設置されている。
【０００８】
使用する時、保護カバーで外円を被せ、横向き保護カバーで横向きスポークを被せ、そしてノブを回し、ネジボルトを回転させ、それによりネジ山ブロックを上へスライドさせて頂部溝に引っ掛からせ、同時に係止ボードが撥条の作用によって上にスライドして係止溝の中に引掛り、左右両側の保護カバーを位置制限させ、この時弓形外殻で固定ブロックを被せ、縦向き保護カバーで縦向きスポークを包み、弾性係止ボードをチャンバの中に引掛け、それにより縦向き保護カバーを固定させ、取り外す時、推しボードを押え、推しボードが弾性係止ボードを押え、それにより弾性係止ボードをチャンバから離脱させ、縦向き保護カバーを取り外し、そして前記ノブを回し、ネジ山ブロックを頂部溝から離脱させ、同時に係止ボードを係止溝から離脱させ、左右両側の保護カバーの位置を制限しなく、それにより保護カバーを取り外せる。
【発明の効果】
【０００９】
本発明の有益な効果は下記の通りである：
【００１０】
本発明は二組の保護カバーが設置されており、本発明はステアリングを無理やりステアリングカバーの中に押し込まなくて済み、取付きの時間を節約しながら便利にし、それに蛍光テープの設計はステアリングをさらに美観にさせ、横向き保護カバーと縦向き保護カバーの設計によってハンドルの横向きスポークと縦向きスポークが保護される。
【図面の簡単な説明】
【００１１】
【図１】図1は本発明のステアリング保護ビニールカバーの正面図であり；
【図２】図2は本発明の第一ロックブロックと第二ロックブロックの係合模式図であり；
【図３】図3は本発明の縦向き保護カバーの模式図であり；
【図４】図4は本発明の図3のAの部分拡大模式図であり；
【図５】図5は本発明の図4のB-Bの方向の模式図であり；
【図６】図6は本発明の図5の左側の模式図であり；
【図７】図7は本発明の保護カバー横向きの断面図であり；
【図８】図8は本発明の横向き保護カバーの模式図であり；
【図９】図9は本発明のハンドルの模式図であり；
【図１０】図10は本発明の係止ブロックと弾性係止ボードの模式図である。
【発明を実施するための形態】
【００１２】
以下、図1-10について本発明を詳しく説明し、便利に叙述するように、現在は後文に出る方位を下記の通りに規定する：後文に出る上下左右前後方向は図1本体の投影関係の上下左右前後方向と一致する。
【００１３】
図1-10を参考して、本発明の実施例のステアリング保護ビニールカバーは、保護カバー10を含み、前記保護カバー10は左右に対称的に設置されており、前記保護カバー10には蛍光テープ11が固定的に設置されており、前記蛍光テープ11はハンドルカバーの美観性を増えられ、前記保護カバー10の左右両側にはゴムグリップ17が固定的に設置されており、前記ゴムグリップ17には凹凸がいっぱいあり、使用者とステアリングカバーとの摩擦力を増え、前記保護カバー10の外側端面には突起ブロック13が固定的に設置されており、前記突起ブロック13は美観と摩擦力を増える役に立ち、前記保護カバー10の内側には前後に対称的に設置される横向き保護カバー18が固定的に設置されており、左右両側の前記保護カバー10の底部にはいずれも固定ブロック21が固定的に設置されており、前記固定ブロック21の間がヒンジピン23によってヒンジで接続され、左側に位置する前記保護カバー10の内円頂部には第一ロックブロック15が固定的に設置されており、右側に位置する前記保護カバー10の内円頂部には第二ロックブロック16が固定的に設置されており、前記第一ロックブロック15と前記第二ロックブロック16とが相互に係合して左右両側の前記保護カバー10をステアリングにロックさせる。
【００１４】
前記ステアリングは内円19と、横向きスポーク60と、縦向きスポーク20と外円61を含み、上下に対称的な前記横向き保護カバー18の間が相互に協力して前記横向きスポーク60に引っかかってステアリングカバーを定位でき、前記縦向きスポーク20には縦向き保護カバー65が取り付けられ、前記縦向き保護カバー65は前後に対称的に設置されており、前記縦向き保護カバー65の底端には弓形外殻39が固定的に設置されており、前記弓形外殻39の中には弓形チャンバ38が設置されており、頂部に位置する前記弓形外殻39の底部には凸ブロック40が固定的に設置されており、前記凸ブロック40の大きさは前記突起ブロック13と同じであり、底部に位置する前記弓形外殻39の頂端には扇形ボード41が固定的に設置されており、前記扇形ボード41は前記凸ブロック40とヒンジで接続され、底部の前記縦向き保護カバー65には係止ブロック42が固定的に設置されており、前記係止ブロック42の前側端面には二組の左右に対称的な弾性係止ボード45が固定的に設置されており、前記弾性係止ボード45が弾性を有し、頂部に位置する前記縦向き保護カバー65の中にはチャンバ43が設置されており、前記チャンバ43の中には推しボード46がスライドできるように設置されており、前記押しボード46の一側部分が前記チャンバ43の外に伸び出ており、前記推しボード46と前記チャンバ43の左側端壁との間には戻し撥条47が取り付けられ、前記チャンバ43の前側端壁には凹槽44が設置されており、弓形外殻39を固定ブロック21に係合取り付けることによって、縦向き保護カバー65を縦向きスポーク20に取り付け、且つ係止ブロック42がチャンバ43と相互に係合され、弾性係止ボード45をチャンバ43の中に係止し、それにより上下両側の縦向き保護カバー65で縦向きスポーク20を包み、弓形外殻39で固定ブロック21を包む。
【００１５】
前記第一ロックブロック15と前記第二ロックブロック16の中にはロック機構が設置されており、前記ロック機構は前記第二ロックブロック16の中に設置される第一糸巻きチャンバ36を含み、前記第一糸巻きチャンバ36の左右両側には第二糸巻きチャンバ32が対称的に設置されており、前記第二糸巻きチャンバ32の中には小リール33が回転できるように設置されており、前記第二糸巻きチャンバ32の頂部にはいずれも滑走溝31が設置されており、前記滑走溝31の中には係止ボード29がスライドできるように設置されており、前記係止ボード29と前記滑走溝31との間には撥条30が取り付けられ、前記第一ロックブロック15の中には係止溝28が前記滑走溝31と相対するように設置されており、前記第一糸巻きチャンバ36の頂部の前記第二ロックブロック16の中には底部溝27が設置されており、前記底部溝27の中にはネジ山ブロック25がスライドできるように設置されており、前記第一ロックブロック15の中には頂部溝24が前記底部溝27と相対するように設置されており、前記第一糸巻きチャンバ36の中にはネジボルト26が回転できるように設置されており、前記ネジボルト26の外周にはリール35が固定的に設置されており、前記リール35には第一引き線37が固定的に設置されており、前記第一引き線37は前記小リール33を経由してから右側の前記係止ボード29と固定し、右側の前記小リール33の外周には第二引き線70が固定的に設置されており、前記第二引き線70は前記小リール33を経由してから左側の前記係止ボードと固定し、前記ネジボルト26の頂部と前記ネジ山ブロック25をねじ山によって係合接続されており、前記ネジボルト26の底端にはノブ34が固定的に設置されている。
【００１６】
使用する時、保護カバー10で外円61を被せ、横向き保護カバー18で横向きスポーク60を被せ、そしてノブ34を回し、ネジボルト26を回転させ、それによりネジ山ブロック25を上へスライドさせて頂部溝24に引っ掛からせ、同時に係止ボード29が撥条30の作用によって上にスライドして係止溝28の中に引掛り、左右両側の保護カバー10を位置制限させ、この時弓形外殻39で固定ブロック21を被せ、縦向き保護カバー65で縦向きスポーク20を包み、弾性係止ボード45をチャンバ43の中に引掛け、それにより縦向き保護カバー65を固定させ、取り外す時、推しボード46を押え、推しボード46が弾性係止ボード45を押え、それにより弾性係止ボード45をチャンバ43から離脱させ、縦向き保護カバー65を取り外し、そして前記ノブ34を回し、ネジ山ブロック25を頂部溝24から離脱させ、同時に係止ボード29を係止溝28から離脱させ、左右両側の保護カバー10の位置を制限しなく、それにより保護カバーを取り外せる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020152363.tif 000003
【図２】
2020152363.tif 000004
【図３】
2020152363.tif 000005
【図４】
2020152363.tif 000006
【図５】
2020152363.tif 000007
【図６】
2020152363.tif 000008
【図７】
2020152363.tif 000009
【図８】
2020152363.tif 000010
【図９】
2020152363.tif 000011
【図１０】
2020152363.tif 000012
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
保護カバーを含み、前記保護カバーは左右に対称的に設置されており、前記保護カバーには蛍光テープが固定的に設置されており、前記蛍光テープはハンドルカバーの美観性を増し、前記保護カバーの左右両側にはゴムグリップが固定的に設置されており、前記ゴムグリップには凹凸がいっぱいあり、使用者とステアリングカバーとの摩擦力が増え、前記保護カバーの外側端面には突起ブロックが固定的に設置されており、前記突起ブロックは美観と摩擦力を増す役に立ち、前記保護カバーの内側には前後に対称的に設置される横向き保護カバーが固定的に設置されており、左右両側の前記保護カバーの底部にはいずれも固定ブロックが固定的に設置されており、前記固定ブロックの間がヒンジピンによってヒンジで接続され、左側に位置する前記保護カバーの内円頂部には第一ロックブロックが固定的に設置されており、右側に位置する前記保護カバーの内円頂部には第二ロックブロックが固定的に設置されており、前記第一ロックブロックと前記第二ロックブロックとが相互に係合して左右両側の前記保護カバーをステアリングにロックさせることを特徴とするステアリング保護ビニールカバー。
【請求項２】
前記ステアリングは内円と、横向きスポークと、縦向きスポークと外円を含み、前後に対称的な前記横向き保護カバーの間が相互に協力して前記横向きスポークに引っかかってステアリングカバーを定位でき、前記縦向きスポークには縦向き保護カバーが取り付けられ、前記縦向き保護カバーは前後に対称的に設置されており、前記縦向き保護カバーの底端には弓形外殻が固定的に設置されており、前記弓形外殻の中には弓形チャンバが設置されており、上側に位置する前記弓形外殻の底部には凸ブロックが固定的に設置されており、前記凸ブロックの大きさは前記突起ブロックと同じであり、下側に位置する前記弓形外殻の頂端には扇形ボードが固定的に設置されており、前記扇形ボードは前記凸ブロックとヒンジで接続され、底部の前記縦向き保護カバーには係止ブロックが固定的に設置されており、前記係止ブロックの前側端面には二組の左右に対称的な弾性係止ボードが固定的に設置されており、前記弾性係止ボードが弾性を有し、頂部に位置する前記縦向き保護カバーの中にはチャンバが設置されており、前記チャンバの中には推しボードがスライドできるように設置されており、前記押しボードの一側部分が前記チャンバの外に伸び出ており、前記推しボードと前記チャンバの左側端壁との間には戻し撥条が取り付けられ、前記チャンバの前側端壁には凹槽が設置されており、弓形外殻を固定ブロックに係合取り付けることによって、縦向き保護カバーを縦向きスポークに取り付け、且つ係止ブロックがチャンバと相互に係合され、弾性係止ボードをチャンバの中に係止し、それにより上下両側の縦向き保護カバーで縦向きスポークを包み、弓形外殻で固定ブロックを包むことを特徴とする請求項１に記載のステアリング保護ビニールカバー。
【請求項３】
前記第一ロックブロックと前記第二ロックブロックの中にはロック機構が設置されており、前記ロック機構は前記第二ロックブロックの中に設置される第一糸巻きチャンバを含み、前記第一糸巻きチャンバの左右両側には第二糸巻きチャンバが対称的に設置されており、前記第二糸巻きチャンバの中には小リールが回転できるように設置されており、前記第二糸巻きチャンバの頂部にはいずれも滑走溝が設置されており、前記滑走溝の中には係止ボードがスライドできるように設置されており、前記係止ボードと前記滑走溝との間には撥条が取り付けられ、前記第一ロックブロックの中には係止溝が前記滑走溝と相対するように設置されており、前記第一糸巻きチャンバの頂部の前記第二ロックブロックの中には底部溝が設置されており、前記底部溝の中にはネジ山ブロックがスライドできるように設置されており、前記第一ロックブロックの中には頂部溝が前記底部溝と相対するように設置されており、前記第一糸巻きチャンバの中にはネジボルトが回転できるように設置されており、前記ネジボルトの外周にはリールが固定的に設置されており、前記リールには第一引き線が固定的に設置されており、前記第一引き線は前記小リールを経由してから右側の前記係止ボードと固定し、右側の前記小リールの外周には第二引き線が固定的に設置されており、前記第二引き線は前記小リールを経由してから左側の前記係止ボードと固定し、前記ネジボルトの頂部と前記ネジ山ブロックをねじ山によって係合接続されており、前記ネジボルトの底端にはノブが固定的に設置されていることを特徴とする請求項１に記載のステアリング保護ビニールカバー。
【手続補正２】
【補正対象書類名】明細書
【補正対象項目名】全文
【補正方法】変更
【補正の内容】
【発明の詳細な説明】
【技術分野】
【０００１】
本発明はステアリングカバー分野を取り上げて、具体的にはステアリング保護ビニールカバーである。
【背景技術】
【０００２】
現在市場のステアリングカバーはほぼ環状であり、それにほぼ皮革材質によって制作され、保護カバーを付ける時、無理やりステアリングに押し込む必要あり、力が小さすぎると取り付けにくく、大きすぎると保護スリーブが壊れ、また、ステアリングカバーが緩ければ、滑りやすい。
【先行技術文献】
【特許文献】
【０００３】
【特許文献１】中国特許出願公開第１０６８６４５７７号明細書
【発明の概要】
【発明が解決しようとする課題】
【０００４】
本発明の目的はステアリング保護ビニールカバーを提供し、現有の技術の上記欠点を克服できる。
【課題を解決するための手段】
【０００５】
本発明のステアリング保護ビニールカバーは、保護カバーを含み、前記保護カバーは左右に対称的に設置されており、前記保護カバーには蛍光テープが固定的に設置されており、前記蛍光テープはハンドルカバーの美観性を増し、前記保護カバーの左右両側にはゴムグリップが固定的に設置されており、前記ゴムグリップには凹凸がいっぱいあり、使用者とステアリングカバーとの摩擦力が増え、前記保護カバーの外側端面には突起ブロックが固定的に設置されており、前記突起ブロックは美観と摩擦力を増す役に立ち、前記保護カバーの内側には前後に対称的に設置される横向き保護カバーが固定的に設置されており、左右両側の前記保護カバーの底部にはいずれも固定ブロックが固定的に設置されており、前記固定ブロックの間がヒンジピンによってヒンジで接続され、左側に位置する前記保護カバーの内円頂部には第一ロックブロックが固定的に設置されており、右側に位置する前記保護カバーの内円頂部には第二ロックブロックが固定的に設置されており、前記第一ロックブロックと前記第二ロックブロックとが相互に係合して左右両側の前記保護カバーをステアリングにロックさせる。
【０００６】
更なる技術方案、前記ステアリングは内円と、横向きスポークと、縦向きスポークと外円を含み、前後に対称的な前記横向き保護カバーの間が相互に協力して前記横向きスポークに引っかかってステアリングカバーを定位でき、前記縦向きスポークには縦向き保護カバーが取り付けられ、前記縦向き保護カバーは前後に対称的に設置されており、前記縦向き保護カバーの底端には弓形外殻が固定的に設置されており、前記弓形外殻の中には弓形チャンバが設置されており、上側に位置する前記弓形外殻の底部には凸ブロックが固定的に設置されており、前記凸ブロックの大きさは前記突起ブロックと同じであり、下側に位置する前記弓形外殻の頂端には扇形ボードが固定的に設置されており、前記扇形ボードは前記凸ブロックとヒンジで接続され、底部の前記縦向き保護カバーには係止ブロックが固定的に設置されており、前記係止ブロックの前側端面には二組の左右に対称的な弾性係止ボードが固定的に設置されており、前記弾性係止ボードが弾性を有し、頂部に位置する前記縦向き保護カバーの中にはチャンバが設置されており、前記チャンバの中には推しボードがスライドできるように設置されており、前記押しボードの一側部分が前記チャンバの外に伸び出ており、前記推しボードと前記チャンバの左側端壁との間には戻し撥条が取り付けられ、前記チャンバの前側端壁には凹槽が設置されており、弓形外殻を固定ブロックに係合取り付けることによって、縦向き保護カバーを縦向きスポークに取り付け、且つ係止ブロックがチャンバと相互に係合され、弾性係止ボードをチャンバの中に係止し、それにより上下両側の縦向き保護カバーで縦向きスポークを包み、弓形外殻で固定ブロックを包む。
【０００７】
更なる技術方案、前記第一ロックブロックと前記第二ロックブロックの中にはロック機構が設置されており、前記ロック機構は前記第二ロックブロックの中に設置される第一糸巻きチャンバを含み、前記第一糸巻きチャンバの左右両側には第二糸巻きチャンバが対称的に設置されており、前記第二糸巻きチャンバの中には小リールが回転できるように設置されており、前記第二糸巻きチャンバの頂部にはいずれも滑走溝が設置されており、前記滑走溝の中には係止ボードがスライドできるように設置されており、前記係止ボードと前記滑走溝との間には撥条が取り付けられ、前記第一ロックブロックの中には係止溝が前記滑走溝と相対するように設置されており、前記第一糸巻きチャンバの頂部の前記第二ロックブロックの中には底部溝が設置されており、前記底部溝の中にはネジ山ブロックがスライドできるように設置されており、前記第一ロックブロックの中には頂部溝が前記底部溝と相対するように設置されており、前記第一糸巻きチャンバの中にはネジボルトが回転できるように設置されており、前記ネジボルトの外周にはリールが固定的に設置されており、前記リールには第一引き線が固定的に設置されており、前記第一引き線は前記小リールを経由してから右側の前記係止ボードと固定し、右側の前記小リールの外周には第二引き線が固定的に設置されており、前記第二引き線は前記小リールを経由してから左側の前記係止ボードと固定し、前記ネジボルトの頂部と前記ネジ山ブロックをねじ山によって係合接続されており、前記ネジボルトの底端にはノブが固定的に設置されている。
【０００８】
使用する時、左側又は右側の二つの横向き保護カバーを左側又は右側の横向きスポークに被せ、そしてノブを回し、ネジボルトを回転させ、それによりネジ山ブロックを上へスライドさせて頂部溝に引っ掛からせ、同時に係止ボードが撥条の作用によって上にスライドして係止溝の中に引掛り、左右両側の保護カバーを位置制限させ、この時弓形外殻で固定ブロックを被せ、縦向き保護カバーで縦向きスポークを包み、弾性係止ボードをチャンバの中に引掛け、それにより縦向き保護カバーを固定させ、取り外す時、推しボードを押え、推しボードが弾性係止ボードを押え、それにより弾性係止ボードをチャンバから離脱させ、縦向き保護カバーを取り外し、そして前記ノブを回し、ネジ山ブロックを頂部溝から離脱させ、同時に係止ボードを係止溝から離脱させ、左右両側の保護カバーの位置を制限しなく、それにより保護カバーを取り外せる。
【発明の効果】
【０００９】
本発明の有益な効果は下記の通りである：
【００１０】
本発明は二組の保護カバーが設置されており、本発明はステアリングを無理やりステアリングカバーの中に押し込まなくて済み、取付きの時間を節約しながら便利にし、それに蛍光テープの設計はステアリングをさらに美観にさせ、横向き保護カバーと縦向き保護カバーの設計によってハンドルの横向きスポークと縦向きスポークが保護される。
【図面の簡単な説明】
【００１１】
【図１】図１は本発明のステアリング保護ビニールカバーの正面図であり；
【図２】図２は本発明の第一ロックブロックと第二ロックブロックの係合模式図であり；
【図３】図３は本発明の縦向き保護カバーの模式図であり；
【図４】図４は本発明の図３のＡの部分拡大模式図であり；
【図５】図５は本発明の図４のＢ−Ｂの方向の模式図であり；
【図６】図６は本発明の図５の左側の模式図であり；
【図７】図７は本発明の保護カバー横向きの断面図であり；
【図８】図８は本発明の横向き保護カバーの模式図であり；
【図９】図９は本発明のハンドルの模式図であり；
【図１０】図１０は本発明の係止ブロックと弾性係止ボードの模式図である。
【発明を実施するための形態】
【００１２】
以下、図１−１０について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−１０を参考して、本発明の実施例のステアリング保護ビニールカバーは、保護カバー１０を含み、前記保護カバー１０は左右に対称的に設置されており、前記保護カバー１０には蛍光テープ１１が固定的に設置されており、前記蛍光テープ１１はハンドルカバーの美観性を増し、前記保護カバー１０の左右両側にはゴムグリップ１７が固定的に設置されており、前記ゴムグリップ１７には凹凸がいっぱいあり、使用者とステアリングカバーとの摩擦力が増え、前記保護カバー１０の外側端面には突起ブロック１３が固定的に設置されており、前記突起ブロック１３は美観と摩擦力を増す役に立ち、前記保護カバー１０の内側には前後に対称的に設置される横向き保護カバー１８が固定的に設置されており、左右両側の前記保護カバー１０の底部にはいずれも固定ブロック２１が固定的に設置されており、前記固定ブロック２１の間がヒンジピン２３によってヒンジで接続され、左側に位置する前記保護カバー１０の内円頂部には第一ロックブロック１５が固定的に設置されており、右側に位置する前記保護カバー１０の内円頂部には第二ロックブロック１６が固定的に設置されており、前記第一ロックブロック１５と前記第二ロックブロック１６とが相互に係合して左右両側の前記保護カバー１０をステアリングにロックさせる。
【００１４】
前記ステアリングは内円１９と、横向きスポーク６０と、縦向きスポーク２０と外円６１を含み、前後に対称的な前記横向き保護カバー１８の間が相互に協力して前記横向きスポーク６０に引っかかってステアリングカバーを定位でき、前記縦向きスポーク２０には縦向き保護カバー６５が取り付けられ、前記縦向き保護カバー６５は前後に対称的に設置されており、前記縦向き保護カバー６５の底端には弓形外殻３９が固定的に設置されており、前記弓形外殻３９の中には弓形チャンバ３８が設置されており、上側に位置する前記弓形外殻３９の底部には凸ブロック４０が固定的に設置されており、前記凸ブロック４０の大きさは前記突起ブロック１３と同じであり、下側に位置する前記弓形外殻３９の頂端には扇形ボード４１が固定的に設置されており、前記扇形ボード４１は前記凸ブロック４０とヒンジで接続され、底部の前記縦向き保護カバー６５には係止ブロック４２が固定的に設置されており、前記係止ブロック４２の前側端面には二組の左右に対称的な弾性係止ボード４５が固定的に設置されており、前記弾性係止ボード４５が弾性を有し、頂部に位置する前記縦向き保護カバー６５の中にはチャンバ４３が設置されており、前記チャンバ４３の中には推しボード４６がスライドできるように設置されており、前記押しボード４６の一側部分が前記チャンバ４３の外に伸び出ており、前記推しボード４６と前記チャンバ４３の左側端壁との間には戻し撥条４７が取り付けられ、前記チャンバ４３の前側端壁には凹槽４４が設置されており、弓形外殻３９を固定ブロック２１に係合取り付けることによって、縦向き保護カバー６５を縦向きスポーク２０に取り付け、且つ係止ブロック４２がチャンバ４３と相互に係合され、弾性係止ボード４５をチャンバ４３の中に係止し、それにより上下両側の縦向き保護カバー６５で縦向きスポーク２０を包み、弓形外殻３９で固定ブロック２１を包む。  
【００１５】
前記第一ロックブロック１５と前記第二ロックブロック１６の中にはロック機構が設置されており、前記ロック機構は前記第二ロックブロック１６の中に設置される第一糸巻きチャンバ３６を含み、前記第一糸巻きチャンバ３６の左右両側には第二糸巻きチャンバ３２が対称的に設置されており、前記第二糸巻きチャンバ３２の中には小リール３３が回転できるように設置されており、前記第二糸巻きチャンバ３２の頂部にはいずれも滑走溝３１が設置されており、前記滑走溝３１の中には係止ボード２９がスライドできるように設置されており、前記係止ボード２９と前記滑走溝３１との間には撥条３０が取り付けられ、前記第一ロックブロック１５の中には係止溝２８が前記滑走溝３１と相対するように設置されており、前記第一糸巻きチャンバ３６の頂部の前記第二ロックブロック１６の中には底部溝２７が設置されており、前記底部溝２７の中にはネジ山ブロック２５がスライドできるように設置されており、前記第一ロックブロック１５の中には頂部溝２４が前記底部溝２７と相対するように設置されており、前記第一糸巻きチャンバ３６の中にはネジボルト２６が回転できるように設置されており、前記ネジボルト２６の外周にはリール３５が固定的に設置されており、前記リール３５には第一引き線３７が固定的に設置されており、前記第一引き線３７は前記小リール３３を経由してから右側の前記係止ボード２９と固定し、右側の前記小リール３３の外周には第二引き線７０が固定的に設置されており、前記第二引き線７０は前記小リール３３を経由してから左側の前記係止ボードと固定し、前記ネジボルト２６の頂部と前記ネジ山ブロック２５をねじ山によって係合接続されており、前記ネジボルト２６の底端にはノブ３４が固定的に設置されている。  
【００１６】
使用する時、左側又は右側の二つの横向き保護カバー１８を左側又は右側の横向きスポーク６０に被せ、そしてノブ３４を回し、ネジボルト２６を回転させ、それによりネジ山ブロック２５を上へスライドさせて頂部溝２４に引っ掛からせ、同時に係止ボード２９が撥条３０の作用によって上にスライドして係止溝２８の中に引掛り、左右両側の保護カバー１０を位置制限させ、この時弓形外殻３９で固定ブロック２１を被せ、縦向き保護カバー６５で縦向きスポーク２０を包み、弾性係止ボード４５をチャンバ４３の中に引掛け、それにより縦向き保護カバー６５を固定させ、取り外す時、推しボード４６を押え、推しボード４６が弾性係止ボード４５を押え、それにより弾性係止ボード４５をチャンバ４３から離脱させ、縦向き保護カバー６５を取り外し、そして前記ノブ３４を回し、ネジ山ブロック２５を頂部溝２４から離脱させ、同時に係止ボード２９を係止溝２８から離脱させ、左右両側の保護カバー１０の位置を制限しなく、それにより保護カバーを取り外せる。  
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。